【手続補正書】
【提出日】平成15年11月7日(2003.11.7)
【手続補正１】
【補正対象書類名】明細書
【補正対象項目名】請求項３
【補正方法】変更
【補正の内容】
【請求項３】
主処理部への汚水導入部で流入汚水に汚泥を混合し、その流入汚水と汚泥との混合液に対し微生物を接触させる一次処理と、この汚水導入部からつながる主処理部で、この一次処理がなされた混合液に対し微生物を働かせることにより、代謝生産物を経て、この混合液を分解処理する二次処理とを行う嫌気処理手段と、
この嫌気処理手段で処理された処理汚水に対し酸素供給条件下で微生物を働かせることにより、その処理汚水を分解処理する好気処理手段と、
この好気処理手段で処理された処理汚水を処理汚泥と処理水とに分離し、その処理汚泥を前記嫌気処理手段で流入汚水と混合する汚泥として返送する固液分離手段と
を備えたことを特徴とする汚水処理システム。
【手続補正２】
【補正対象書類名】明細書
【補正対象項目名】請求項４
【補正方法】変更
【補正の内容】
【請求項４】
主処理部への汚水導入部で流入汚水に汚泥を混合し、その流入汚水と汚泥との混合液に対し微生物を接触させる一次処理と、この汚水導入部からつながる主処理部で、この一次処理がなされた混合液に対し微生物を働かせることにより、代謝生産物を経て、この混合液を分解処理する二次処理とを行う嫌気処理手段と、
この嫌気処理手段で処理された処理汚水に対し酸素供給条件下で微生物を働かせることにより、その処理汚水を分解処理する好気処理手段と、
この好気処理手段で処理された処理汚水を処理汚泥と処理水とに分離し、その処理汚泥を、前記好気処理手段において前記嫌気処理手段からの処理汚水と混合する汚泥として返送する固液分離手段と
を備えたことを特徴とする汚水処理システム。
【手続補正３】
【補正対象書類名】明細書
【補正対象項目名】請求項５
【補正方法】変更
【補正の内容】
【請求項５】
主処理部への汚水導入部で流入汚水に汚泥を混合し、その流入汚水と汚泥との混合液に対し微生物を接触させる一次処理と、この汚水導入部からつながる主処理部でこの一次処理がなされた混合液に対し微生物を働かせることにより、代謝生産物を経て、この混合液を分解処理する二次処理とを行う嫌気処理手段と、
この嫌気処理手段で処理された処理汚水に対し酸素供給条件下で微生物を働かせることにより、その処理汚水を分解処理する好気処理手段と、
この好気処理手段で処理された処理汚水を処理汚泥と処理水とに分離し、その処理汚泥を、前記嫌気処理手段で流入汚水と混合する汚泥として返送するとともに、前記好気処理手段において前記嫌気処理手段からの処理汚水と混合する汚泥として返送する固液分離手段と
を備えたことを特徴とする汚水処理システム。
【手続補正４】
【補正対象書類名】明細書
【補正対象項目名】０００８
【補正方法】変更
【補正の内容】
【０００８】
＊  請求項３の発明（図１参照）
この発明にかかる汚水処理システム（Ｓ１）は、請求項２の発明にかかる嫌気処理手段(耐気性部１及び絶対嫌気性部２)及び好気処理手段（微好気性部３）と、下記の固液分離手段（固液分離部４）とを備えている。この固液分離手段（４）においては、前記好気処理手段（３）で処理された処理汚水（１４）を処理汚泥（１１）と処理水（１５）とに分離し、その処理汚泥（１１）を前記嫌気処理手段（１，２）で流入汚水（１０）と混合する汚泥として返送する。


【手続補正５】
【補正対象書類名】明細書
【補正対象項目名】００１０
【補正方法】変更
【補正の内容】
【００１０】
＊  請求項４の発明（図１参照）
この発明にかかる汚水処理システム（Ｓ１）は、請求項２の発明にかかる嫌気処理手段(耐気性部１及び絶対嫌気性部２)及び好気処理手段（微好気性部３）と、下記の固液分離手段（固液分離部４）とを備えている。この固液分離手段（４）においては、前記好気処理手段（３）で処理された処理汚水（１４）を処理汚泥（１１）と処理水（１５）とに分離し、その処理汚泥（１１）を、前記好気処理手段（３）において前記嫌気処理手段（１，２）からの処理汚水（１３）と混合する汚泥として返送する。


【手続補正６】
【補正対象書類名】明細書
【補正対象項目名】００１２
【補正方法】変更
【補正の内容】
【００１２】
＊  請求項５の発明（図１参照）
この発明にかかる汚水処理システム（Ｓ１）は、請求項２の発明にかかる嫌気処理手段(耐気性部１及び絶対嫌気性部２)及び好気処理手段（微好気性部３）と、下記の固液分離手段（固液分離部４）とを備えている。この固液分離手段（４）においては、前記好気処理手段（３）で処理された処理汚水（１４）を処理汚泥（１１）と処理水（１５）とに分離し、その処理汚泥（１１）を、前記嫌気処理手段（１，２）で流入汚水（１０）と混合する汚泥として返送するとともに、前記好気処理手段（３）において前記嫌気処理手段（１，２）からの処理汚水（１３）と混合する汚泥として返送する。この発明では、請求項３の発明の効果及び請求項４の発明の効果を発揮することができる。


【手続補正７】
【補正対象書類名】明細書
【補正対象項目名】００１６
【補正方法】変更
【補正の内容】
【００１６】
この汚水処理システムＳ１は、嫌気処理手段としての耐気性部１（一次処理部）及び絶対嫌気性部２（二次処理部）と、好気処理手段としての微好気性部３と、固液分離手段としての固液分離部４とを備えている。この固液分離部４には処理汚泥排出口６と処理水排出口７とが設けられている。この固液分離部４の処理汚泥排出口６は、汚泥返送経路８により前記耐気性部１に接続されているとともに、汚泥返送経路９により前記微好気性部３に接続されている。


【手続補正８】
【補正対象書類名】明細書
【補正対象項目名】００１７
【補正方法】変更
【補正の内容】
【００１７】
流入汚水１０は、まず、前記耐気性部１（例えば汚水導入部としての下水管１ａなど、汚水を運ぶ通路を広く意味する汚水管）に至る。この耐気性部１では、後述するように前記固液分離部４から汚泥返送経路８により返送された処理汚泥１１（活性汚泥）が、例えば下水管１ａに通じるマンホール１ｂから取り込まれ、酸素が少ない状態にある流入汚水１０に混合されるとともに、この処理汚泥１１からのみ酸素が流入汚水１０に補充される。この下水管１ａ内では、前記処理汚泥１１内の微生物が、流入汚水１０への処理汚泥１１の取り込み位置Ｐで、それらの混合液１２に接触する。


【手続補正９】
【補正対象書類名】明細書
【補正対象項目名】００２０
【補正方法】変更
【補正の内容】
【００２０】
次に、前記微好気性部３で処理された処理汚水１４は前記固液分離部４（例えば最終沈殿槽）に至る。この処理汚水１４は、前記処理汚泥排出口６から排出される処理汚泥１１と、前記処理水排出口７から排出される処理水１５とに分離される。この処理水１５は例えば河川などに放流される。この処理汚泥１１は、前記耐気性部１で流入汚水１０と混合される汚泥として前記汚泥返送経路８により返送されるとともに、前記微好気性部３において前記絶対嫌気性部２からの処理汚水１３と混合される汚泥として前記汚泥返送経路９により返送される。


【手続補正１０】
【補正対象書類名】明細書
【補正対象項目名】００２１
【補正方法】変更
【補正の内容】
【００２１】
次に、本発明の第二実施形態にかかる汚水処理システムについて図２を参照して説明する。
この汚水処理システムＳ２においては、各種汚水発生源１８と河川２３等の汚水最終排出部との間の汚水処理経路Ｌで、汚水中間処理部として、汚水ます１９と第一中継マンホール２０または第一中継ポンプ場２０と第二中継マンホール２１または第二中継ポンプ場２１と汚水処理施設２２とを備えている。それらは汚水処理経路Ｌで汚水管２４により互いに接続されている。この各汚水管２４とは、下水管など、汚水を運ぶ通路を広く意味する。各種汚水発生源１８は、一般家庭やマンションや文化施設や公園などに設けられた台所や洗面所や風呂や便所等である。この各汚水管２４には図１（ａ）（ｂ）に示す前記汚水処理システムＳ１が組み込まれ、前記耐気性部１の下水管１ａが汚水流入部として汚水管２４に接続されているとともに、前記固液分離部４の処理水排出口７が汚水流出部として汚水管２４に接続されている。


【手続補正１１】
【補正対象書類名】明細書
【補正対象項目名】符号の説明
【補正方法】変更
【補正の内容】
【符号の説明】
１…一次処理を行う汚水導入部である耐気性部（嫌気処理手段）、１ａ…下水管（汚水導入部）、２…二次処理を行う主処理部である絶対嫌気性部（嫌気処理手段）、３…微好気性部（好気処理手段）、４…固液分離部（固液分離手段）、８…耐気性部への汚泥返送経路、９…微好気性部への汚泥返送経路、１０…流入汚水、１１…処理汚泥、１２…混合液、１３…絶対嫌気性部からの処理汚水、１４…微好気性部からの処理汚水、１５…処理水、１８…汚水発生源、１９…汚水中間処理部としての汚水ます、２０…汚水中間処理部としての第一中継マンホールまたは第一中継ポンプ場、２１…汚水中間処理部としての第二中継マンホールまたは第二中継ポンプ場、２２…汚水中間処理部としての汚水処理施設、２３…汚水最終排出部としての河川、２４…汚水管、Ｓ１…汚水処理システム、Ｓ２…汚水処理システム、Ｌ…汚水処理経路。


【手続補正１２】
【補正対象書類名】図面
【補正対象項目名】図１
【補正方法】変更
【補正の内容】
【図１】
2003251391.tif 000001